(57)【要約】【課題】連続部片を高角度で切断したときに、才断された才断片に位置づれ或いは変形が起きないようにする。【解決手段】連続部片Ｍをバキュームテーブル４０上に吸引配置し、その状態で可動刃２０を下降して連続部片Ｍに当て、弾性支持体５０の弾発力に抗してバキュームテーブル４０と共に固定刃３０に沿って押し下げ、連続部片Ｍを拘束した状態で才断する。バキュームテーブル４０は可動刃２０の下死点位置で係止され、他方、可動刃２０は上昇する。【選択図】          図２
2004167938.tif 000002
【特許請求の範囲】
【請求項１】
連続部片から所定幅の才断片を高角度で才断する才断装置であって、固定刃及び可動刃を備えたカッター、固定刃に隣接配置され連続部片を保持する才断テーブル、前記才断テーブルを固定刃に沿って上下動自在に支持する弾性支持体、前記才断テーブルが前記可動刃に押下されて所定位置に下降したとき該才断テーブルを係止するための係止手段、及び前記係止手段の係止を解除する手段、を備えたことを特徴とする才断装置。
【請求項２】
請求項１に記載された才断装置において、
前記才断テーブルはその連続部片支持面に開口した複数の真空吸引口を備え、連続部片を吸着保持することを特徴とする才断装置。
【請求項３】
請求項１又は２のいずれかに記載された才断装置において、
前記才断テーブルを係止する係止手段は、前記才断テーブルに対し進退自在な才断テーブル当接面を備え、前記才断テーブルを固定刃の側面に押圧付勢する付勢手段を備えていることを特徴とする才断装置。
【請求項４】
請求項１ないし３のいずれかに記載された才断装置において、
前記係止手段の前記才断テーブル当接面は前記才断テーブルの側部に係止する段部を備えていることを特徴とする才断装置。
【請求項５】
請求項１ないし４のいずれかに記載された才断装置において、才断後の才断片を吸着保持して前記テーブルから搬送する手段を備えたことを特徴とする才断装置。
【請求項６】
連続部片を才断テーブル上に配置する工程、
連続部片を才断テーブルに吸着保持する工程、
可動刃を下降し、連続部片を才断テーブル上に押圧しつつ才断テーブルを下降し才断する工程、
所定位置に下降した前記才断テーブルを係止する工程、及び
可動刃を上昇する工程、
からなることを特徴とする才断方法。
【発明の詳細な説明】
【０００１】
【発明の属する技術分野】
本発明は、例えばタイヤの構成部材であるコード入りベルト、特にタイヤに構成されたときにコードが回転中心軸方向に対して９０度に近い高角度に埋設されることになるいわゆる高角度ベルトなどを製造するための連続部片の才断装置に関するものである。
【０００２】
【従来の技術】
高角度ベルトを用いたタイヤが製造されているが、この高角度ベルトは、例えば図３にその製造装置１を示すように、平行に配列された複数本のスチールコードにゴムをコーティングした狭幅の連続した帯状部片を第１の搬送手段４を介して才断テーブル２上に搬送し、その位置で帯状部にカッターの可動刃２０を落下させて所定幅かつ高角度で才断し、才断片を第２の搬送手段５により回転する大径の貼付ドラム３に搬送して巻き付けるとともに互いに接合する。その動作を繰り返すことで張付けドラム３上にベルトを形成し、形成されたベルトを巻取装置により貼付ドラム３から剥ぎ取って巻取ロールに巻き取る等などして製造している。
【０００３】
ところで、以上の従来のベルトの製造装置においては、連続部片が高角度で才断される際に切り離される側の部片の保持は行われていない。即ち、低角度、または直角に才断される部片については、才断に伴う挙動は少なく特に強制的に保持しておくことなく切り離してそのまま搬送しても、接合等のための位置決めはそれほど問題とならないが、７５゜〜８６゜となるような高角度才断においては、切り離される側の鋭角端は、才断時の部片保持がないと才断時にワイヤーのトーション、被覆されているゴムの収縮等により僅かにずれ（１ｍｍ程度）を生じ、また、高角度に才断されているために、ワイヤー被覆ゴムの耳にあたる部分がコヨリ状に尖り、切り離される部片の鋭角端がカッター刃と支持テーブル等に挟まり、同部片の搬送時に引きずられさらに形状を変形させるという問題が生じ、そのため、才断片を巻き取りかつ才断片同士を接合する際に誤差が生じ高角ベルトの製造が困難になるという問題がある。
【０００４】
そこで、所定の角度をもって切断する際に、コード部片を保持しておくために、カッターを切断下刃と切断上刃（回転刃）とで構成し、切断下刃に複数個の空気吸引孔を等間隙で設け、シ−ト状態のタイヤ部材用コード部片（原反）をコードに対して或る角度をもって切断するときに、前記コード部片を切断下刃の上に載せ、空気吸引孔から空気を吸引して前記コード部片を切断下刃に固定し、その状態で切断上刃（回転刃）と切断下刃とにより同コード部片を切断することが行われている（特許文献１）。
【０００５】
しかしながら、切断下刃の空気吸引孔でタイヤ部材用コード部片を保持しておくだけでは、７５゜〜８６゜となるような高角度才断においては、切り離される側の鋭角端は細く十分に吸引することはできないから前記従来の問題は解決できない。
【０００６】
【特許文献１】
特開平７−２３２３８６号公報（段落番号「００１０」、段落番号「００１２」、図１，図２）
【０００７】
【発明が解決しようとする課題】
本発明は、以上のような従来の問題を解決するためなされたものであって、その第１の目的は、連続部片を高角度で才断する際に切断部片の変形や位置ずれをなくして高角度ベルトの製造を容易に行えるようにすることである。
また、第２の目的は、連続部片を高角度で才断する際に切断部片の変形や位置ずれを簡易な構成により実現することである。
【０００８】
【課題を解決するための手段】
請求項１の発明は、連続部片から所定幅の才断片を高角度で才断する才断装置であって、固定刃及び可動刃を備えたカッター、固定刃に隣接配置され連続部片を保持する才断テーブル、前記才断テーブルを固定刃に沿って上下動自在に支持する弾性支持体、前記才断テーブルが前記可動刃に押下されて所定位置に下降したとき該才断テーブルを係止するための係止手段、及び前記係止手段の係止を解除する手段、を備えたことを特徴とする才断装置である。
請求項２の発明は、請求項１に記載された才断装置において、前記才断テーブルはその連続部片支持面に開口した複数の真空吸引口を備え、連続部片を吸着保持することを特徴とする才断装置である。
請求項３の発明は、請求項１又は２のいずれかに記載された才断装置において、前記才断テーブルを係止する係止手段は、前記才断テーブルに対し進退自在な才断テーブル当接面を備え、前記才断テーブルを固定刃の側面に押圧付勢する付勢手段を備えていることを特徴とする才断装置である。
請求項４の発明は、請求項１ないし３のいずれかに記載された才断装置において、前記係止手段の前記才断テーブル当接面は前記才断テーブルの側部に係止する段部を備えていることを特徴とする才断装置である。
請求項５の発明は、請求項１ないし４のいずれかに記載された才断装置において、才断後の才断片を吸着保持して前記テーブルから搬送する手段を備えたことを特徴とする才断装置である。
請求項６の発明は、連続部片を才断テーブル上に配置する工程、連続部片を才断テーブルに吸着保持する工程、可動刃を下降し、連続部片を才断テーブル上に押圧しつつ才断テーブルを下降し才断する工程、所定位置に下降した前記才断テーブルを係止する工程、及び可動刃を上昇する工程、からなることを特徴とする才断方法。
【０００９】
【発明の実施の形態】
本発明の連続部片才断装置の１実施形態を図面を参照して説明する。
図１は、本発明の連続部片才断装置の１実施形態を概略的に示す平面図であり、図２Ａ〜２Ｄは才断装置における才断の過程をそれぞれ概略的に示した側面図である。。
図１中、４０は才断テーブル即ちバキュームテーブルであって、その表面には該テーブル上に載置された才断片を真空で吸着保持するため、図示しない真空源に連通した多数の小孔が設けられており、全体は図示のように略矩形をなしている。また、図２の各図に示すように、その下端は例えばバネなどを用いた任意の弾性支持体５０によって支持されており、上方から可動刃２０で押下することで下降（本実施形態では約１０ｍｍ程度）することができるように、上下動自在に構成されている。また、バキュームテーブル４０は、その一側部はカッターの固定刃３０側面に接し、かつ他側部はバキュームテーブル保持手段６０によって常に押圧されて前記固定刃３０と前記保持手段６０によって挟持された状態に維持されている。
【００１０】
バキュームテーブル保持手段６０は、シリンダ６１、シリンダロッド６２及びシリンダロッド６２の先端に設けられバキュームテーブル４０の側部を常に押圧するように作用するアタッチメント６３からなっている。このアタッチメント６３は例えばナイロン（登録商標）等の合成樹脂製のバキュームテーブル４０当接面６３ａを有し、この当接面６３ａは、図２Ａ〜２Ｄに示すように、アタッチメント６３側の表面に窪みまたは段部６４が形成されている。この段部６４は、バキュームテーブル６０が下降するカッターの可動刃２０の先端部で押下されて前記弾性支持体の弾発力に抗して下降しとき、その下死点においてバキュームテーブル４０の角と係合して同テーブルの上動を防ぐロックとして働く。
【００１１】
次に、以上のように構成された本発明の連続部片の才断装置の動作について説明する。
図１において、まず、才断するための連続部片Ｍは例えば図示しない押出機により図右上の部分から右下に向かって、カッターの固定刃３０に対し例えば７５゜〜８６゜傾斜した経路を押し出し搬送され、固定刃３０上を通過してバキュームテーブル４０上まで搬送されると、バキュームテーブル４０は連続部片Ｍを真空吸着して保持し、その状態でカッターの可動刃２０を下降させ所定幅で才断する。
つまり、カッターの可動刃２０は図２Ａの状態から下降して連続部片Ｍに接触した後、図２Ｂに示すように、さらに連続部片Ｍをバキュームテーブル４０との間で拘束した状態で弾性支持体５０の弾発力に抗して押し下げ連続部片Ｍを完全に切断する。
【００１２】
カッターの可動刃２０がその下降の下死点に達すると、図２Ｃに示すように、バキュームテーブル４０の上端部はバキュームテーブル保持手段６０のアタッチメント６３の当接面６３ａの段部６４の位置に達する。ここで、前記アタッチメント６３はシリンダ６１により常にバキュームテーブル４０側に付勢されているため、その段部６４はバキュームテーブル４０側に前進してその側部に係合する。
【００１３】
この状態でカッターの可動刃２０は上昇ストロークを開始すると、図２Ｄに示すように、カッターの可動刃２０は上昇するが、バキュームテーブル４０はその位置において下から弾性支持体５０の弾発力を受けてその上端部が前記段部６４に押し付けられた状態、つまりロック状態に保持される。
また、才断片はそのままバキュームテーブル４０上に真空吸着されたまま保持される。
カッター刃２３の上昇後、シリンダ６１を作動させてロッド６２を後退させてバキュームテーブル４０とアタッチメント６３との係合を外すと、バキュームテーブル４０は弾性支持体５０の弾発力で元の位置まで上昇する。
【００１４】
バキュームテーブル４０に吸引保持された才断片Ｍは、次に、例えば、先端にマグネット（永久磁石）を備えた吸着ハンドで吸着し所定の位置に搬送される。つまり、マグネットは例えば鉄などの磁力線が透過可能な材料できたケーシング内に収納され、才断片Ｍの吸着位置ではケーシング内を下降して才断片Ｍのスチールワイヤーに作用してこれを吸引し、解放位置ではケーシング内を上昇して才断片Ｍを解放するように構成されている。
【００１５】
【発明の効果】
請求項１ないし３，６に対応する効果；才断テーブルをカッターの可動刃で上下自在にする簡易な構成により、連続部片を完全に拘束状態で才断するため、高角度で才断しても従来のように才断時にズレたり或いはワイヤー被覆ゴムの耳に当たる部分がコヨリ状に尖ってカッターの固定刃とテーブルとの間に挟まる等の問題を完全に防止することができる。
請求項４に対応する効果；才断後にカッターの可動刃が離れた状態においても、才断片を才断テーブル上にそのまま保持しておくため才断片が妄りにずれるたり変形したりすることがない。
請求項５に対応する効果；才断片を正しく位置決めされた状態で搬送することができる。
【図面の簡単な説明】
【図１】本発明の実施の形態に係る才断装置の概略平面図である。
【図２】図１に示す才断装置の概略側面図で、カッターによる各才断工程を示す図である。
【図３】前記才断装置の適用例である従来の高角度ベルトの製造ラインを概略的に示す平面図である。
【符号の説明】
１…高角度ベルト製造装置、２…才断テーブル、３…張付けドラム、４…第１の搬送手段、５…第２の搬送手段、２０…可動刃、３０…固定刃、４０…バキュームテーブル、５０…弾性支持体、６０…バキュームテーブル保持手段、６３…アタッチメント、６４…段部、
【図１】
2004167938.tif 000003
【図２】
2004167938.tif 000004
【図３】
2004167938.tif 000005